(57)【特許請求の範囲】
【請求項１】
異なる取付孔を有する第一、第二及び第三サーバーキャビネットの支柱に取り付けることができるスライドレール取付装置であって、
取付ブラケットと、前記取付ブラケットに固定された２つのボルトと、２つの前記ボルトに螺合する２つの挿入ピンと、を備え、各々の前記挿入ピンは、第一挿入段及び前記第一挿入段の一端から延在する第二挿入段を備え、前記第二挿入段の外径は、前記第一挿入段の外径より小さく、
前記第一サーバーキャビネットの支柱に取り付ける場合、前記挿入ピンの前記第一挿入段を前記第一サーバーキャビネットの支柱の取付孔に貫通させて、前記挿入ピンの前記第一挿入段は、前記第一サーバーキャビネットの支柱によって支持され、
前記第二サーバーキャビネットの支柱に取り付ける場合、前記挿入ピンの前記第二挿入段を前記第二サーバーキャビネットの支柱の取付孔に貫通させて、前記挿入ピンの前記第二挿入段は、前記第二サーバーキャビネットの支柱によって支持され、
前記第三サーバーキャビネットの支柱に取り付ける場合、前記挿入ピンを前記ボルトから取り外してから、前記ボルトを前記第三サーバーキャビネットの支柱の取付孔に貫通させて、前記ボルトは、前記第三サーバーキャビネットの支柱によって支持されることを特徴とするスライドレール取付装置。
【請求項２】
前記第一サーバーキャビネットの支柱の前記取付孔は正方形であり、前記挿入ピンの前記第一挿入段の外径は、前記第一サーバーキャビネットの支柱の前記取付孔の一辺の長さより小さいことを特徴とする請求項１に記載のスライドレール取付装置。
【請求項３】
前記第二サーバーキャビネットの支柱の前記取付孔は円形であり、前記第一挿入段の外径は、前記第二サーバーキャビネットの支柱の前記取付孔の直径より大きく、前記第二挿入段の外径は、前記第二サーバーキャビネットの支柱の前記取付孔の直径より小さいことを特徴とする請求項１または２に記載のスライドレール取付装置。
【請求項４】
前記第三サーバーキャビネットの支柱の前記取付孔は円形であり且つ内部にねじ山が設けられ、前記ボルトの外径は、前記第三サーバーキャビネットの支柱の前記取付孔の直径より小さいことを特徴とする請求項１から３のいずれか一項に記載のスライドレール取付装置。
【請求項５】
前記取付ブラケットは、側板及び前記側板の一端から直交して延在する端板を備え、前記ボルトは、前記端板に固定され且つ前記側板から離れる方向に向かって延伸することを特徴とする請求項１から４のいずれか一項に記載のスライドレール取付装置。
【請求項６】
前記挿入ピンには、その軸方向に沿って前記挿入ピンを貫通するスクリューホールが設けられ、前記スクリューホールの前記第二挿入段から離れている一端には、導入口が設けられ、前記ボルトは、前記導入口から前記スクリューホールに螺合することを特徴とする請求項１から５のいずれか一項に記載のスライドレール取付装置。
【発明の詳細な説明】
【技術分野】
【０００１】
本発明は、スライドレール取付装置に関するものである。
【背景技術】
【０００２】
サーバーシステムは、サーバーキャビネット及びこのサーバーキャビネットに装着されている複数のサーバーを備える。サーバーキャビネットとサーバーとの間には、スライドレールアセンブリが設けられているので、サーバーを自由に引き出したり差し込んだりすることができる。
【０００３】
スライドレールアセンブリの取付ブラケットをサーバーキャビネットの支柱の取付孔に取り付けて、スライドレールアセンブリをサーバーキャビネットに固定する。異なるサーバーキャビネットの支柱の取付孔は様々であり、例えば、大きい矩形孔もしくは円孔、又は小さいねじ山孔などである。
【発明の概要】
【発明が解決しようとする課題】
【０００４】
しかし、従来のスライドレールアセンブリの取付ブラケットは、異なる取付孔を有するサーバーキャビネットに適用できないので、異なるサーバーキャビネットに使用する場合には異なる取付ブラケットを採用する。
【０００５】
本発明の目的は、前記課題を解決し、異なる取付孔を有するサーバーキャビネットに適用できるスライドレール取付装置を提供することである。
【課題を解決するための手段】
【０００６】
本発明に係るスライドレール取付装置は、異なる取付孔を有する第一、第二及び第三サーバーキャビネットの支柱に取り付けることができ、取付ブラケットと、前記取付ブラケットに固定された２つのボルトと、２つの前記ボルトに螺合する２つの挿入ピンと、を備え、各々の前記挿入ピンは、第一挿入段及び前記第一挿入段の一端から延在する第二挿入段を備え、前記第二挿入段の外径は、前記第一挿入段の外径より小さく、前記第一サーバーキャビネットの支柱に取り付ける場合、前記挿入ピンの第一挿入段を前記第一サーバーキャビネットの支柱の取付孔に貫通させて、前記挿入ピンの第一挿入段は、前記第一サーバーキャビネットの支柱によって支持され、前記第二サーバーキャビネットの支柱に取り付ける場合、前記挿入ピンの第二挿入段を前記第二サーバーキャビネットの支柱の取付孔に貫通させて、前記挿入ピンの第二挿入段は、前記第二サーバーキャビネットの支柱によって支持され、前記第三サーバーキャビネットの支柱に取り付ける場合、前記挿入ピンを前記ボルトから取り外してから、前記ボルトを前記第三サーバーキャビネットの支柱の取付孔に貫通させて、前記ボルトは、前記第三サーバーキャビネットの支柱によって支持される。
【発明の効果】
【０００７】
従来の技術と比べて、本発明のスライドレール取付装置は、取付ブラケットに固定されたボルト及び前記ボルトに螺合する挿入ピンを備え、前記挿入ピンは、異なる直径を有する第一挿入段及び第二挿入段を備え、前記挿入ピンの第一挿入段は、前記スライドレール取付装置を第一サーバーキャビネットの支柱に取り付けるために用いられ、前記挿入ピンの第二挿入段は、前記スライドレール取付装置を第二サーバーキャビネットの支柱に取り付けるために用いられ、前記ボルトは、前記スライドレール取付装置を第三サーバーキャビネットの支柱に取り付けるために用いられ、従って本発明のスライドレール取付装置は、異なる取付孔を有するサーバーキャビネットに適用できる。
【図面の簡単な説明】
【０００８】
【図１】本発明の実施形態に係るスライドレール取付装置の分解図である。
【図２】図１に示すスライドレール取付装置の別の視角からの分解図である。
【図３】図１に示すスライドレール取付装置を第一サーバーキャビネットの支柱に取り付けた状態を示す斜視図である。
【図４】図１に示すスライドレール取付装置を第二サーバーキャビネットの支柱に取り付けた状態を示す斜視図である。
【図５】図１に示すスライドレール取付装置を第三サーバーキャビネットの支柱に取り付けた状態を示す斜視図である。
【発明を実施するための形態】
【０００９】
以下、図面を参照して、本発明の実施形態について説明する。
【００１０】
図１〜図５を参照すると、本発明の実施形態に係るスライドレール取付装置は、正方形の取付孔７２を有する第一サーバーキャビネットの支柱７０と、円形の取付孔８２を有する第二サーバーキャビネットの支柱８０と、内部にねじ山が設けられた円形の取付孔９２を有する第三サーバーキャビネットの支柱９０と、のうちのいずれか１つに選択的に取り付けることができる。前記取付孔８２の直径は、前記取付孔７２の一辺の長さより小さいが、前記取付孔９２の直径より大きい。
【００１１】
前記スライドレール取付装置は、取付ブラケット１０、２つのボルト２０及び２つの挿入ピン３０を備える。
【００１２】
前記取付ブラケット１０は、スライドレール（図示せず）と結合する側板１１及び前記側板１１の一端から直交して延在する端板１３を備える。
【００１３】
２つの前記ボルト２０は、前記取付ブラケット１０の端板１３に固定され且つ前記側板１１から離れる方向に向かって延伸する。前記ボルト２０の外径は、前記取付孔９２の直径より若干小さいので、前記取付孔９２を貫通する。
【００１４】
前記挿入ピン３０は、第一挿入段３２及び前記第一挿入段３２の一端から延在する第二挿入段３４を備える。前記第二挿入段３４の外径は、前記第一挿入段３２の外径より小さいので、前記第一挿入段３２と前記第二挿入段３４との接続箇所には、階段部３２４を形成する。前記挿入ピン３０には、その軸方向に沿って前記挿入ピン３０を貫通するスクリューホール３６が設けられており、前記スクリューホール３６の前記第二挿入段３４から離れている一端には、導入口が設けられる。正方形の前記取付孔７２の一辺の長さは、前記挿入ピン３０の第一挿入段３２の外径より大きい。円形の前記取付孔８２の直径は、前記第一挿入段３２の外径より小さいが、前記第二挿入段３４の外径より大きい。
【００１５】
前記スライドレール取付装置を使用する場合、２つの前記挿入ピン３０のスクリューホール３６の導入口を前記取付ブラケット１０の端板１３に固定された２つの前記ボルト２０に位置合わせしてから、２つの前記挿入ピン３０を２つの前記ボルト２０にそれぞれ螺合する。
【００１６】
図３を参照すると、前記スライドレール取付装置を前記第一サーバーキャビネットの支柱７０に取り付ける場合、前記挿入ピン３０の第一挿入段３２を前記取付孔７２に貫通させて、前記取付ブラケット１０の端板１３は、前記第一サーバーキャビネットの支柱７０に当接し、前記挿入ピン３０の第一挿入段３２は、前記第一サーバーキャビネットの支柱７０によって支持される。
【００１７】
図４を参照すると、前記スライドレール取付装置を前記第二サーバーキャビネットの支柱８０に取り付ける場合、前記挿入ピン３０の第二挿入段３４を前記取付孔８２に貫通させて、前記挿入ピン３０の階段部３２４は、前記第二サーバーキャビネットの支柱８０に当接し、前記挿入ピン３０の第二挿入段３４は、前記第二サーバーキャビネットの支柱８０によって支持される。
【００１８】
図５を参照すると、前記スライドレール取付装置を前記第三サーバーキャビネットの支柱９０に取り付ける場合、前記挿入ピン３０を回動して、前記挿入ピン３０を前記ボルト２０から取り外してから、前記ボルト２０を前記取付孔９２に貫通させて、前記取付ブラケット１０の端板１３は、前記第三サーバーキャビネットの支柱９０に当接し、前記ボルト２０は、前記第三サーバーキャビネットの支柱９０によって支持される。
【００１９】
以上、本発明を実施例に基づいて具体的に説明したが、本発明は、上述の実施例に限定されるものではなく、その要旨を逸脱しない範囲において、種々の変更が可能であることは勿論であって、本発明の技術的範囲は、以下の特許請求の範囲から決まる。
【符号の説明】
【００２０】
１０  取付ブラケット
１１  側板
１３  端板
２０  ボルト
３０  挿入ピン
３２  第一挿入段
３４  第二挿入段
３６  スクリューホール
７０  第一サーバーキャビネットの支柱
７２，８２，９２  取付孔
８０  第二サーバーキャビネットの支柱
９０  第三サーバーキャビネットの支柱
３２４  階段部
【図１】
0005226849.tif 000002
【図２】
0005226849.tif 000003
【図３】
0005226849.tif 000004
【図４】
0005226849.tif 000005
【図５】
0005226849.tif 000006